(57)【要約】【課題】長寿命化が図られるスライドスイッチを提供する。【解決手段】スライドスイッチ１００は、電気絶縁性樹脂で形成されている基板３５と、基板の表面３５ｃに固定されている固定接点４０と、固定接点上をスライドする金属製の可動接点４２と、を備え、固定接点４０は、可動接点のスライド方向に延びる第１グランド固定接点４０１と、スライド方向と直交する方向に間隔を空けて第１グランド固定接点と平行に延びる個別固定接点４０３ａ、４０３ｂと、可動接点がスライドする範囲内で個別固定接点の延長線上に、第１グランド固定接点と平行に延びる第２グランド固定接点４０２ａ、４０２ｂと、を有し、第２グランド固定接点と個別固定接点との間に第２グランド固定接点及び個別固定接点の表面よりも窪む凹部４４１、４４２が設けられている。【選択図】図６
2018147596.tif 000002
【特許請求の範囲】
【請求項１】
電気絶縁性樹脂で形成されている基板と、
前記基板の表面に固定されている固定接点と、
前記固定接点上をスライドする金属製の可動接点と、を備え、
前記固定接点は、
前記可動接点のスライド方向に延びる第１グランド固定接点と、
前記スライド方向と直交する方向に間隔を空けて前記第１グランド固定接点と平行に延びる個別固定接点と、
前記可動接点がスライドする範囲内で前記個別固定接点の延長線上に、前記第１グランド固定接点と平行に延びる第２グランド固定接点と、を有し、
前記第２グランド固定接点と前記個別固定接点との間に前記第２グランド固定接点及び前記個別固定接点の表面よりも窪む凹部が設けられている、スライドスイッチ。
【請求項２】
前記可動接点は、前記固定接点の表面と当接する当接部を有し、
前記スライド方向において前記当接部の長さは前記凹部の長さよりも長い、請求項１に記載のスライドスイッチ。
【請求項３】
前記可動接点は、前記固定接点の表面と当接する当接部を有し、
前記スライド方向と直交する方向において前記当接部の幅は前記固定接点の幅よりも狭い、請求項１又は２に記載のスライドスイッチ。
【請求項４】
前記可動接点よりも硬度が高い無機質フィラが前記電気絶縁性樹脂に充填されている、請求項１〜３のいずれか一項に記載のスライドスイッチ。
【発明の詳細な説明】
【技術分野】
【０００１】
本発明はスライドスイッチに関し、特に、基板に固定された固定接点、及び固定接点上をスライドする可動接点を備えているスライドスイッチに関する。
【背景技術】
【０００２】
従来、スライドスイッチとして、特許文献１に開示された車両用スイッチが知られている。この車両用スイッチは、絶縁樹脂製の基板と、基板上に設けられた導電金属製の２本の固定接点と、固定接点との電気的接離を行なう金属薄板製の可動接片とを備えている。
【０００３】
２本の固定接点の一方が他方より長く形成されている。この両方の固定接点に可動接点が接している場合、固定接点間が可動接点により電気的に接続されて、ＯＮ状態になる。一方、この位置から可動接点が移動すると、可動接点は一方の長い固定接点上を摺動するが、他方の短い固定接点から基板上へ移って摺動する。この位置では、固定接点間は電気的に絶縁されているため、ＯＦＦ状態になる。このようなＯＮ状態の位置とＯＦＦ状態の位置との間を可動接点が移動する。
【先行技術文献】
【特許文献】
【０００４】
【特許文献１】特開２００５−０５６６９４号公報
【発明の概要】
【発明が解決しようとする課題】
【０００５】
特許文献１の車両用スイッチでは、樹脂製の基板上に金属製の可動切片が摺動することにより、基板が削れて、基板に段差が生じると、この段差に可動切片が引っ掛かる可能性がある。これに対して、基板の強度を高めるために硬度が高いフィラが基板の樹脂に添加されていると、可動切片がフィラにより摩耗してしまう可能性がある。
【０００６】
そこで本発明は、長寿命化が図られるスライドスイッチを提供することを目的とする。
【課題を解決するための手段】
【０００７】
本発明のある態様に係るスライドスイッチは、電気絶縁性樹脂で形成されている基板と、基板の表面に固定されている固定接点と、固定接点上をスライドする金属製の可動接点と、を備え、固定接点は、可動接点のスライド方向に延びる第１グランド固定接点と、スライド方向と直交する方向に間隔を空けて第１グランド固定接点と平行に延びる個別固定接点と、可動接点がスライドする範囲内で個別固定接点の延長線上に、第１グランド固定接点と平行に延びる第２グランド固定接点と、を有し、第２グランド固定接点と個別固定接点との間に第２グランド固定接点及び個別固定接点の表面よりも窪む凹部が設けられている。
【０００８】
この構成によれば、第２グランド固定接点及び個別固定接点は、凹部を挟んで同一直線状に延び、スライド方向に延びる第１グランド固定接点と並んで平行に設けられている。このため、可動接点は、第１グランド固定接点及び第２グランド固定接点に当接するＯＦＦ位置と、第１グランド固定接点及び個別固定接点に当接するＯＮ位置との間を凹部を介して摺動することができる。これにより、可動接点は基板上を摺動しないため、摺動による可動接点又は基板の摩耗を防止し、スライドスイッチの長寿命化が図られる。
【０００９】
スライドスイッチでは、可動接点は、固定接点の表面と当接する当接部を有し、スライド方向において当接部の長さは凹部の長さよりも長くてもよい。この構成によれば、凹部を互いの間に挟む第２グランド固定接点と個別固定接点との少なくともいずれか一方に可動接点が接触するため、可動接点は凹部に引っ掛かることなく凹部上を通ることができ、スライドスイッチの長寿命化が図られる。
【００１０】
スライドスイッチでは、可動接点は、固定接点の表面と当接する当接部を有し、スライド方向と直交する方向において当接部の幅は固定接点の幅よりも狭くてもよい。この構成によれば、スライド方向と直交する方向において可動接点は各固定接点から基板へはみ出ることがないため、可動接点が基板上を摺動することによる可動接点又は基板の摩耗を防止し、スライドスイッチの長寿命化が図られる。
【００１１】
スライドスイッチでは、可動接点よりも硬度が高い無機質フィラが電気絶縁性樹脂に充填されていてもよい。この構成によれば、無機質フィラが充填された電気絶縁性樹脂により基板の機械的強度が高まり、スライドスイッチの長寿命化が図られる。
【発明の効果】
【００１２】
本発明によれば、長寿命化が図られるスライドスイッチを提供することが可能である。
【００１３】
本発明の上記目的、他の目的、特徴、及び利点は、添付図面参照の下、以下の好適な実施態様の詳細な説明から明らかにされる。
【図面の簡単な説明】
【００１４】
【図１】実施の形態に係るスライドスイッチを備えたレバー操作装置の外観構成を示す図面であり、図１（ａ）は平面図、図１（ｂ）は正面図である。
【図２】図１のレバー操作装置の分解斜視図である。
【図３】図１（ａ）のレバー操作装置のＡ−Ａ線での断面図である。
【図４】図１（ｂ）のレバー操作装置のＢ−Ｂ線での断面図である。
【図５】図１（ｂ）のレバー操作装置のＣ−Ｃ線での断面図である。
【図６】図１のスライドスイッチの分解斜視図である。
【図７】図６のスライドスイッチの一部を拡大した断面図であり、図７（ａ）は前方から視た図であり、図７（ｂ）は左側から視た図である。
【図８】図６のスライドスイッチの固定接点を示す図である。
【発明を実施するための形態】
【００１５】
以下、本発明の実施の形態を、図面を参照しながら具体的に説明する。なお、以下では全ての図面を通じて同一又は相当する要素には同一の参照符号を付して、その重複する説明を省略する。また、説明の便宜上、以下では便宜上、図１に矢印で示す上下方向、左右方向、前後方向を基準にして説明するが、この方向は当該スライドスイッチを車両等に搭載したときの方向とは必ずしも一致していなくてもよい。
（実施の形態）
本発明の実施の形態に係るスライドスイッチ１００は、例えば、図１Ａ及び図１Ｂに示すレバー操作装置１に用いられる。ただし、スライドスイッチ１００の適応例はこれに限定されない。
【００１６】
レバー操作装置１は、車両等のボディに固定的に取り付けられるボックス状のケーシング２から、平面視で左右方向へ延びるレバー部３と、レバー部３の先端側に設けられた第１操作ノブ４及び第２操作ノブ５とを備える。
【００１７】
レバー部３は、基端部がケーシング２から右斜め上方に向く軸線Ａ１に沿って延び、途中の２ヶ所で屈曲して上下方向の傾斜角度が変更された後、軸線Ａ２に沿って延びて先端部へ至っている。このレバー部３の先端に第１操作ノブ４が設けられ、更に、第１操作ノブ４にスペーサ６を挟んで第２操作ノブ５が設けられている。
【００１８】
第１操作ノブ４はレバー部３の先端部にて軸線Ａ２の回りに回動可能に支持されている（回動方向Ｒ１参照）。また、スペーサ６は、その内部においてレバー部３に対し固定的に接続されている。そして、第２操作ノブ５はスペーサ６にて軸線Ａ２の回りに回動可能に支持されている（回動方向Ｒ２参照）。
【００１９】
図２〜図５に示すように、レバー操作装置１のレバー部３は、レバー部３の軸線に沿って上下割に構成されたレバー本体１０、１１と、レバー部３の軸線に沿って左右割に構成されたワイヤホルダ２０、２１とを有している。
【００２０】
レバー本体１０、１１のそれぞれは、両者の合せ面（対向面）の中央部分には、レバー部３の軸線に沿ったホルダ嵌合溝１２が延設されている。従って、レバー本体１０、１１を上下から突き合わせると、上下のホルダ嵌合溝１２によりホルダ通路１３が形成される。ホルダ通路１３にはワイヤホルダ２０、２１が収容されている。
【００２１】
ワイヤホルダ２０、２１の合せ面（対向面）には、一端から他端まで延びる２本のワイヤ溝２２が形成されている。従って、ワイヤホルダ２０、２１を左右から突き合せると、左右のワイヤ溝２２によりワイヤ通路（内部通路）２３が、上下に２本形成される。ワイヤ通路２３には駆動ワイヤ２４が配設されている。
【００２２】
駆動ワイヤ２４はワイヤ通路２３よりも長寸であり、その両端部はワイヤ通路２３の両端から外側へ延設されている。そして、駆動ワイヤ２４の一端部には固定部２５が取り付けられ、他端部には動作部２６が取り付けられている。
【００２３】
固定部２５は、駆動ワイヤ２４の一端部に固定された軸部２５ａと、この軸部２５ａから駆動ワイヤ２４の延伸方向に交差する方向へ突出した係合片２５ｂとを有している。また、動作部２６は、駆動ワイヤ２４の他端部に固定された軸部２６ａと、この軸部２６ａから駆動ワイヤ２４の延伸方向に交差する方向へ突出した揺動片２６ｂとを有している。
【００２４】
２本の駆動ワイヤ２４のうち一方の固定部２５は第１操作ノブ４に内部で接続されている。従って、第１操作ノブ４が軸線Ａ２回りに回動すると、その回動動作が固定部２５及び駆動ワイヤ２４を介して動作部２６に伝わり、動作部２６が回動する。
【００２５】
２本の駆動ワイヤ２４のうち他方の固定部２５は第２操作ノブ５に内部で接続されている。従って、第２操作ノブ５が軸線Ａ２回りに回動すると、その回動動作が固定部２５及び駆動ワイヤ２４に伝わり動作部２６に伝わり、動作部２６が回動する。
【００２６】
また、レバー部３は、上側のレバー本体１０の基端部が、ユーザが把持する円柱状部分から更に延びた延設部分１５を有し、この延設部分１５がケーシング２内に位置している。図３に示すように、駆動ワイヤ２４は延設部分１５に沿ってその下方に位置し、操作ノブ４、５が非操作状態での動作部２６は、ケーシング２内において下方に揺動片２６ｂが突出した状態となっている。
【００２７】
図２、図３及び図５に示すように、ケーシング２内には、レバー部３の基端部の他にも、基板３５、基板カバー３６、及び変位部３７などが収容されている。基板３５は下ケース３１に取り付けられ、その上面には２つの固定接点４０が左右に並設されている。基板３５の下面には、基端側に開口を有するボックス状の筐体３５ａが接続されており、固定接点４０に一端が接続される信号線又は電力線（図示せず）は、基板３５の下方を、この筐体３５ａ及び開口を通じて車両本体へ延設される。
【００２８】
基板３５の上方には基板カバー３６が配設され、基板３５の上面を全体的に覆っている。ただし、基板カバー３６には、基板３５上の固定接点４０に対向する箇所に開口４１が形成されている。この開口４１は、基板カバー３６の表裏を貫通しており、前後方向に長寸を成す矩形状の輪郭を有している。そして、基板３５上に基板カバー３６を配設した状態でこれらを平面視すると、開口４１内の前後方向の一部に固定接点４０が位置している。
【００２９】
この開口４１には変位部３７が配置されている。変位部３７は、平面視すると略矩形状を成し、開口４１内で基板３５上を、左右方向のガタがなく前後方向にのみ移動可能になっている。また、変位部３７は、図３のように正面視して下方に開いた二股形状を成すスライダ部３７ａと、図５のように側面視して上方に開いた二股形状を成す挟持部３７ｂとを有する。
【００３０】
スライダ部３７ａは、平面視で矩形状を成す基台部と、この基台部の左右の端部から下方へ延びる一対の脚部と、を有している。スライダ部３７ａの基台部の下面には、下方へ付勢された複数の可動接点４２の一端が接続されており、他端は基板３５の上面に接している。挟持部３７ｂは、スライダ部３７ａの基台部から上方へ延びる２枚の対向壁４３を有している。２枚の対向壁４３は矩形板状を成して互いに前後に位置しており、この対向壁４３の間に動作部２６の先端（より詳しくは、揺動片２６ｂの下端の球形部分）が位置している。
【００３１】
従って、ユーザが第１操作ノブ４を回動し、対応する動作部２６が前後方向に揺動すると、変位部３７はこれに追従して開口４１内を前後方向に移動する（図５参照）。その結果、変位部３７の位置に応じて、可動接点４２と固定接点４０とは、電気的接続状態（ＯＮ状態）と電気的被接続状態（ＯＦＦ状態）との間で切り替わる。ユーザが第２操作ノブ５を回動した場合も同様に、対応する可動接点４２と固定接点４０が電気的接続状態（ＯＮ状態）と電気的被接続状態（ＯＦＦ状態）とで切り替わる。なお、基板３５、固定接点４０及び可動接点４２によりスライドスイッチ１００が構成されている。
【００３２】
次に、スライドスイッチ１００の詳細について図６を参照して説明する。スライドスイッチ１００は、基板３５、基板３５に固定された固定接点４０、及び固定接点４０上をスライドする可動接点４２を備えている。なお、以下の説明では、スライドスイッチ１００の基板３５の厚み方向を上下方向と称し、可動接点４２のスライド方向を前後方向と称し、これらに直交する方向を左右方向と称して説明するが、スライドスイッチ１００の使用方向はこれに限定されない。
【００３３】
基板３５は、例えば、矩形状の平板であって、電気絶縁性樹脂で形成されており、電気絶縁性樹脂には、機械的強度及び耐熱性などの機能を確保するために機能に応じた無機質フィラが配合されていてもよい。無機質フィラには、例えば、基板３５の機械的強度の向上の観点から可動接点４２よりも硬度が高いガラス繊維等が例示される。平面視で略矩形状の窪み３５ｂが基板３５に設けられ、この窪み３５ｂの基板３５の表面３５ｃに固定接点４０が露出するように、基板３５はインサート成形等により形成される。
【００３４】
固定接点４０は導電性材料により形成されており、例えば、表面がメッキにより覆われた平板が用いられる。例えば、メッキには、電導性が良い銀等の金属が用いられ、平板には機械的強度が高い黄銅等の金属が用いられる。
【００３５】
固定接点４０は、窪み３５ｂの周りは基板３５により覆われている。固定接点４０は、窪み３５ｂの内側では基板３５に覆われずに外に現れ、その表面が窪み３５ｂ内の基板３５の表面３５ｃと段差がない面一に設けられている。
【００３６】
固定接点４０は、前後方向に延びる第１グランド固定接点４０１と、左右方向に間隔を空けて第１グランド固定接点４０１と平行に延びる個別固定接点と、可動接点４２がスライドする範囲内で個別固定接点の延長線上に第１グランド固定接点と平行に延びる第２グランド固定接点と、を有している。例えば、第２グランド固定接点は第２ａグランド固定接点４０２ａ及び第２ｂグランド固定接点４０２ｂにより構成されている。また、個別固定接点は第１個別固定接点４０３ａ及び第２個別固定接点４０３ｂにより構成されている。
【００３７】
個別固定接点４０３ａ、４０３ｂは、前後方向に基板３５を貫通し、車両（図示せず）の電子回路の電源側に電気的に接続されている。また、第１グランド固定接点４０１及び第２グランド固定接点４０２ａ、４０２ｂは、前後方向に基板３５を貫通し、車両の電子回路のアース側に電気的に接続されている。
【００３８】
窪み３５ｂの内側において、第１グランド固定接点４０１、第２ａグランド固定接点４０２ａ及び第２ｂグランド固定接点４０２ｂは、矩形状であって、前後方向に延びている。第２ａグランド固定接点４０２ａ及び第２ｂグランド固定接点４０２ｂの各前端は第１グランド固定接点４０１の前端に接続し、第２ａグランド固定接点４０２ａ及び第２ｂグランド固定接点４０２ｂの各後端は第１グランド固定接点４０１の前端と後端との間に接続している。
【００３９】
前後方向において第２ａグランド固定接点４０２ａの長さは第１グランド固定接点４０１よりも短く、第２ｂグランド固定接点４０２ｂの長さは第２ａグランド固定接点４０２ａよりも短い。このため、第１グランド固定接点４０１に対する第２ｂグランド固定接点４０２ｂの後端の接続位置は、第１グランド固定接点４０１の前端と、第１グランド固定接点４０１に対する第２ａグランド固定接点４０２ａの後端の接続位置との間に位置している。つまり、第２ａグランド固定接点４０２ａの後端の接続位置は、第２ｂグランド固定接点４０２ｂの後端の接続位置よりも後側に位置している。
【００４０】
第２ａグランド固定接点４０２ａ、第１グランド固定接点４０１及び第２ｂグランド固定接点４０２ｂは、左右方向にこの順で並び、第１グランド固定接点４０１が第２ａグランド固定接点４０２ａと第２ｂグランド固定接点４０２ｂとの間に位置している。第２ａグランド固定接点４０２ａ、第１グランド固定接点４０１及び第２ｂグランド固定接点４０２ｂは、左右方向において互いの間に基板３５を挟んで並列に設けられ、互いに平行に延びている。
【００４１】
第１個別固定接点４０３ａ及び第２個別固定接点４０３ｂのそれぞれは、例えば、略矩形状であって、左右方向において第１グランド固定接点４０１との間に基板３５を挟んで並列に設けられ、互いに平行に延びている。このため、左右方向において第１個別固定接点４０３ａ、第１グランド固定接点４０１及び第２個別固定接点４０３ｂはこの順で並び、第１個別固定接点４０３ａと第２個別固定接点４０３ｂとの間に第１グランド固定接点４０１が位置している。
【００４２】
第１個別固定接点４０３ａ及び第２ａグランド固定接点４０２ａは、左右方向の幅がそれぞれ等しく、第１凹部４４１を挟んで前後方向に同一直線上に並んでいる。第１凹部４４１は、対向する第１個別固定接点４０３ａの前端と第２ａグランド固定接点４０２ａの後端との間に設けられている。第１凹部４４１は、第１個別固定接点４０３ａ及び第２ａグランド固定接点４０２ａの各表面並びに基板３５の表面３５ｃよりも窪んでいて、前後方向に第１個別固定接点４０３ａと第２ａグランド固定接点４０２ａとの間を電気的に絶縁する。第１凹部４４１の深さは、第１個別固定接点４０３ａ及び第２ａグランド固定接点４０２ａの厚みと同じである。
【００４３】
第２個別固定接点４０３ｂ及び第２ｂグランド固定接点４０２ｂは、左右方向の幅がそれぞれ等しく、第２凹部４４２を挟んで前後方向に同一直線上に並んでいる。第２凹部４４２は、対向する第２個別固定接点４０３ｂの前端と第２ｂグランド固定接点４０２ｂの後端との間に設けられている。第２凹部４４２は、第２個別固定接点４０３ｂ及び第２ｂグランド固定接点４０２ｂの各表面並びに基板３５の表面３５ｃよりも窪んでいて、前後方向に第２個別固定接点４０３ｂと第２ｂグランド固定接点４０２ｂとの間を電気的に絶縁する。第２凹部４４２の深さは、第２個別固定接点４０３ｂ及び第２ｂグランド固定接点４０２ｂの厚みと同じである。
【００４４】
第１個別固定接点４０３ａの前後方向における長さは、第２個別固定接点４０３ｂよりも短い。また、第１個別固定接点４０３ａと直線上に並ぶ第２ａグランド固定接点４０２ａは、第２個別固定接点４０３ｂと直線上に並ぶ第２ｂグランド固定接点４０２ｂよりも長い。このため、前後方向において第２ａグランド固定接点４０２ａと第１個別固定接点４０３ａとの間の第１凹部４４１は、第２ｂグランド固定接点４０２ｂと第２個別固定接点４０３ｂとの間の第２凹部４４２の位置と異なり、第２凹部４４２よりも後側に位置している。
【００４５】
前後方向における第１凹部４４１と第２凹部４４２との間では、第２ａグランド固定接点４０２ａ、第１グランド固定接点４０１及び第２個別固定接点４０３ｂが左右方向に基板３５を介して並列に設けられている。また、前後方向における第２凹部４４２よりも前側では、第２ａグランド固定接点４０２ａ、第１グランド固定接点４０１及び第２ｂグランド固定接点４０２ｂが左右方向に基板３５を介して並列に設けられている。さらに、前後方向における第１凹部４４１よりも後側では、第１個別固定接点４０３ａ、第１グランド固定接点４０１及び第２個別固定接点４０３ｂが左右方向に基板３５を介して並列に設けられている。
【００４６】
可動接点４２は導電性材料により形成されており、例えば、表面がメッキにより覆われた金属が用いられる。例えば、メッキには、電導性が良い銀等の金属が用いられ、金属には機械的強度が高く加工性に優れたリン青銅及び洋白等の金属が用いられる。
【００４７】
可動接点４２は、複数（この実施の形態では、３つ）接点部４２ａ、接点部４２ａの後端に接続する柄部４２ｂ、及び柄部４２ｂの後端が接続する接続部４２ｃを有している。柄部４２ｂは、棒状であって、前側から後側に向かって上方へ傾斜して延びている。接続部４２ｃは、左右方向に延びる矩形の平板状であって、その前端に３つの柄部４２ｂが間隔を空けて接続している。この接続部４２ｃに対して傾斜する柄部４２ｂによりその先の設けられる接点部４２ａは、固定接点４０に付勢された状態で接触する。
【００４８】
例えば、３つの接点部４２ａは、第１接点部４２１、第２接点部４２２及び第３接点部４２３により構成されており、これらはこの順に左側から右側に並ぶ。第１接点部４２１、第２接点部４２２及び第３接点部４２３が対応する固定接点４０上を摺動するように、可動接点４２は接続部４２ｃによりスライダ部３７ａ（図５）に固定されている。これにより、第１接点部４２１は、前後方向に直線状に並ぶ第２ａグランド固定接点４０２ａ及び第１個別固定接点４０３ａの上を前後方向に摺動する。第２接点部４２２は、第１グランド固定接点４０１の上を前後方向に摺動する。第３接点部４２３は、前後方向に直線状に並ぶ第２ｂグランド固定接点４０２ｂ及び第２個別固定接点４０３ｂの上を前後方向に摺動する。
【００４９】
図７（ａ）に示すように、接点部４２ａは下方に突出するカップ形状であって、上面が窪み、それに伴い下面が下方に突出している。接点部４２ａの下面の突出部分は、前後方向に長い長円形状であって、平面状の底部４２ａ１と底部４２ａ１から周縁に向かって上方へ湾曲した曲面状の側部４２ａ２とにより構成されている。接点部４２ａの左右方向の幅は、突出部分の左右方向の幅よりも広い。
【００５０】
可動接点４２の底部４２ａ１は、固定接点４０の表面に当接する当接部である。この可動接点４２の底部４２ａ１は、左右方向における幅が固定接点４０の幅よりも狭い。これにより、底部４２ａ１は、左右方向において固定接点４０内に収まり、固定接点４０の周囲の基板３５上に接触しない。
【００５１】
図７（ｂ）に示すように、前後方向において可動接点４２の底部４２ａ１の長さは、各凹部４４１、４４２の長さよりも長い。これにより、第１接点部４２１は、第１凹部４４１を挟んで前後方向に並ぶ第２ａグランド固定接点４０２ａと第１個別固定接点４０３ａとの間を移動する際、これらの少なくともいずれか一方上に載るため、第１凹部４４１の縁に引っ掛かることなく第１凹部４４１上を通過することができる。また、第２接点部４２２も、第２凹部４４２を挟んで前後方向に並ぶ第２ｂグランド固定接点４０２ｂと第２個別固定接点４０３ｂとの間を移動する際、これらの少なくともいずれか一方上に載るため、第２凹部４４２の縁に引っ掛かることなく第２凹部４４２上を通過することができる。
【００５２】
図８に示すように、第２凹部４４２よりも前側にあるＰ１位置において各接点部４２１、４２２、４２３が位置している場合、第１接点部４２１は第２ａグランド固定接点４０２ａに接し、第２接点部４２２が第１グランド固定接点４０１に接し、第３接点部４２３が第２ｂグランド固定接点４０２ｂが接している。このように、各接点部４２１、４２２、４２３が第１個別固定接点４０３ａ及び第２個別固定接点４０３ｂと接触していないため、固定接点４０に通電しないＯＦＦ状態になる。これにより、ＯＦＦ信号が車両の電子回路に出力される、又は、ＯＮ信号が出力されずに、例えば、車両のテールランプ及びヘッドランプが消灯する。
【００５３】
可動接点４２がＰ１位置から、第１凹部４４１と第２凹部４４２との間にあるＰ２位置へ移動すると、第１接点部４２１が第２ａグランド固定接点４０２ａ上を摺動し、第２接点部４２２が第１グランド固定接点４０１上を摺動する。そして、第３接点部４２３が第２ｂグランド固定接点４０２ｂから第２凹部４４２を超えて第２個別固定接点４０３ｂに移動する。この第２ｂグランド固定接点４０２ｂと第２個別固定接点４０３ｂとは第２凹部４４２により電気的に絶縁されている。このため、可動接点４２を介して第２個別固定接点４０３ｂと第１グランド固定接点４０１とが電気的に接続され、これらに通電する第１ＯＮ状態となる。これにより、第１ＯＮ信号が車両の電子回路に出力されて、例えば、車両のテールランプが点灯する。
【００５４】
可動接点４２がＰ２位置から、第１凹部４４１よりも後側にあるＰ３位置へ移動すると、第２接点部４２２が第１グランド固定接点４０１上を摺動し、第３接点部４２３が第２個別固定接点４０３ｂ上を摺動する。そして、第１接点部４２１が第２ａグランド固定接点４０２ａから第１凹部４４１を超えて第１個別固定接点４０３ａに移動する。この第２ａグランド固定接点４０２ａと第１個別固定接点４０３ａとは第１凹部４４１により電気的に絶縁されている。このため、可動接点４２を介して第１個別固定接点４０３ａ、第２個別固定接点４０３ｂ及び第１グランド固定接点４０１が電気的に接続され、これらに通電する第２ＯＮ状態となる。これにより、第１ＯＮ信号と異なる第２ＯＮ信号が車両の電子回路に出力されて、例えば、車両のヘッドランプが点灯する。
【００５５】
以上に説明したように、本実施の形態に係るスライドスイッチ１００は、第２ａグランド固定接点４０２ａと第１個別固定接点４０３ａとの間に第１凹部４４１が設けられ、第２ｂグランド固定接点４０２ｂと第２個別固定接点４０３ｂとの間に第２凹部４４２が設けられている。この第１凹部４４１により電気的に絶縁された第２ａグランド固定接点４０２ａ及び第１個別固定接点４０３ａの上を第１接点部４２１が移動し、第２凹部４４２により電気的に絶縁された第２ｂグランド固定接点４０２ｂ及び第２個別固定接点４０３ｂの上を第３接点部４２３が移動する。これにより、各接点部４２１、４２３が基板３５上を摺動することないため、基板３５が各接点部４２１、４２３により摩耗されることがなく、摩耗によりできる基板３５の溝と固定接点４０との段差により接点部４２１、４２３が摩耗したり接触したりすることが防止され、スライドスイッチ１００の長寿命化が図られる。
【００５６】
さらに、第１接点部４２１が摺動する第２ａグランド固定接点４０２ａ及び第１個別固定接点４０３ａと、第３接点部４２３が摺動する第２ｂグランド固定接点４０２ｂ及び第２個別固定接点４０３ｂと、並列且つ平行に第２接点部４２２が摺動する第１グランド固定接点４０１が設けられる。これにより、第１接点部４２１及び第３接点部４２３が摺動する範囲において第２接点部４２２は第１グランド固定接点４０１上を摺動するため、第２接点部４２２が基板３５上を摺動することなく、スライドスイッチ１００の長寿命化が図られる。
【００５７】
また、前後方向（可動接点４２のスライド方向）において第１接点部４２１の底部４２ａ１（当接部）の長さは第１凹部４４１の長さよりも長く、第２接点部４２２の底部４２ａ１（当接部）の長さは第２凹部４４２の長さよりも長い。これにより、第１接点部４２１が第１凹部４４１の上を通る際、第１凹部４４１を挟む第２ａグランド固定接点４０２ａ及び／又は第１個別固定接点４０３ａの表面上に第１接点部４２１が当接する。このため、第１接点部４２１が第１凹部４４１の縁等に当たることが低減され、スライドスイッチ１００の長寿命化が図られる。なお、第２接点部４２２についても第１接点部４２１と同様である。
【００５８】
さらに、左右方向（可動接点４２のスライド方向と直交する方向）において可動接点４２の底部４２ａ１（当接部）の幅は、摺動する固定接点４０の幅よりも狭い。これにより、底部４２ａ１は各固定接点４０上を摺動し、基板３５上を摺動しないため、基板３５の摩耗を防止し、スライドスイッチ１００の長寿命化が図られる。
【００５９】
また、可動接点４２の底部４２ａ１よりも硬度が高い無機質フィラが基板３５の電気絶縁性樹脂に充填されている。無機質フィラにより基板３５の機械的強度が向上し、スライドスイッチ１００の長寿命化が図られる。さらに、底部４２ａ１が基板３５上を摺動しないため、基板３５に充填される無機質フィラにより底部４２ａ１が摩耗せず、スライドスイッチ１００の長寿命化が図られる。
【００６０】
（その他の実施の形態）
上記実施の形態では、第１凹部４４１及び第２凹部４４２は基板３５を貫通しない溝により形成されていたが、第１凹部４４１及び第２凹部４４２は基板３５を貫通する孔により形成されていてもよい。この孔で形成されている場合であっても、第１凹部４４１及び第２凹部４４２は基板３５の表面３５ｃよりも窪む。
【００６１】
上記実施の形態では、第２グランド固定接点４０２ａ、４０２ｂ及び個別固定接点４０３ａ、４０３ｂがそれぞれ２つずつ備えられていたが、第２グランド固定接点４０２ａ、４０２ｂ及び個別固定接点４０３ａ、４０３ｂがそれぞれ１つずつ又は３つ以上備えられていてもよい。
【００６２】
上記実施の形態では、第２グランド固定接点４０２ａ、４０２ｂは第１グランド固定接点４０１と各々前後方向で接続され一体に形成されていたが、第１グランド固定接点４０１と分離した別体として形成してもよい。
【００６３】
上記実施の形態では、第１凹部４４１の深さが第１個別固定接点４０３ａ及び第２ａグランド固定接点４０２ａの厚みと同じに設定されている。ただし、第１凹部４４１の底が第１個別固定接点４０３ａ及び第２ａグランド固定接点４０２ａの各表面よりも窪んでいて、第１個別固定接点４０３ａの表面及び／又は第２ａグランド固定接点４０２ａの表面と接する可動接点４２の底部４２ａ１（当接部）が第１個別固定接点４０３ａと第２ａグランド固定接点４０２ａとの間の基板３５に接しなければよい。このため、第１凹部４４１の深さが第１個別固定接点４０３ａ及び第２ａグランド固定接点４０２ａの厚みよりも小さくても大きくてもよい。
【００６４】
上記実施の形態では、第２凹部４４２の深さが第２個別固定接点４０３ｂ及び第２ｂグランド固定接点４０２ｂの厚みと同じに設定されている。ただし、第２凹部４４２の底が第２個別固定接点４０３ｂ及び第２ｂグランド固定接点４０２ｂの各表面よりも窪んでいて、第２個別固定接点４０３ｂの表面及び／又は第２ｂグランド固定接点４０２ｂの表面と接する可動接点４２の底部４２ａ１（当接部）が第２個別固定接点４０３ｂと第２ｂグランド固定接点４０２ｂとの間の基板３５に接しなければよい。このため、第２凹部４４２の深さは、第２個別固定接点４０３ｂ及び第２ｂグランド固定接点４０２ｂの厚みよりも小さくても大きくてもよい。
【００６５】
上記説明から、当業者にとっては、本発明の多くの改良や他の実施の形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００６６】
本発明は、長寿命化が図られるスライドスイッチに適用することができる。
【符号の説明】
【００６７】
３５      ：基板
４０      ：固定接点
４２      ：可動接点
４２ａ１  ：底部（当接部）
１００    ：スライドスイッチ
４０１    ：第１グランド固定接点
４０２ａ  ：第２ａグランド固定接点（第２グランド固定接点）
４０２ｂ  ：第２ｂグランド固定接点（第２グランド固定接点）
４０３ａ  ：第１個別固定接点（個別固定接点）
４０３ｂ  ：第２個別固定接点（個別固定接点）
４４１    ：第１凹部（凹部）
４４２    ：第２凹部（凹部）
【図１】
2018147596.tif 000003
【図２】
2018147596.tif 000004
【図３】
2018147596.tif 000005
【図４】
2018147596.tif 000006
【図５】
2018147596.tif 000007
【図６】
2018147596.tif 000008
【図７】
2018147596.tif 000009
【図８】
2018147596.tif 000010